(57)【要約】【課題】部品を交換する場合に、交換される部品を含む装置の機能を継続させること。【解決手段】情報処理装置は、部品の仕様に関する２以上の要素の組を、仕様情報とし、登録部品に関する第１の識別子と、登録部品を識別する情報と、第１の仕様情報とを対応付けて格納し、且つ、第１の識別子と、第１の条件と、第２の条件と、第３の条件とを対応付けて格納する、記憶部と、第２の識別子と第２の仕様情報とを特定可能である情報を取得する、被代替情報管理部と、第２の仕様情報に関して第１の条件と、第２の条件又第３の条件とに基づいて、提案代替部品を決定する、代替部品決定部と、第２の仕様情報に関して、第２の条件に基づいて、提案代替仕様を決定する、代替手段決定部と、提案代替部品、提案代替仕様の少なくともいずれかに関する情報を含む、提案情報を出力する、提案情報管理部とを備える。【選択図】図１
2020046869.tif 000002
【特許請求の範囲】
【請求項１】
部品の仕様に関する２以上の要素の組を、仕様情報とし、予め登録されている登録部品に関する第１の識別子と、前記登録部品を識別する情報と、第１の仕様情報とを対応付けて格納し、且つ、前記第１の識別子と、第１の条件と、第２の条件と、第３の条件とを対応付けて格納する、記憶部と、
第２の識別子と第２の仕様情報とを特定可能である情報を取得する、被代替情報管理部と、
前記第２の仕様情報に関して、前記第２の識別子に対応する前記第１の条件と、前記第２の条件又は前記第３の条件とに基づいて、提案代替部品を決定する、代替部品決定部と、
前記第２の仕様情報に関して、前記第２の識別子に対応する前記第２の条件に基づいて、提案代替手段を決定する、代替手段決定部と、
前記提案代替部品、前記提案代替手段の少なくともいずれかに関する情報を含む、提案情報を出力する、提案情報管理部と、
を備える情報処理装置。
【請求項２】
前記第１の条件は、部品の仕様に関する、複数の第１の要素を含んで構成され、
前記代替部品決定部は、前記第１の条件に含まれる、前記複数の第１の要素に関して、前記第１の仕様情報と、前記第２の仕様情報とが一致する場合、前記第１の条件を満たすと判断する、請求項１に記載の情報処理装置。
【請求項３】
前記代替部品決定部は、前記第２の識別子に対応する前記第１の条件を満たし、前記第２の識別子に対応する前記第２の条件を満たす前記登録部品を、前記提案代替部品として決定する、請求項１又は２に記載の情報処理装置。
【請求項４】
前記記憶部は、前記第２の条件を満たす代替手段と、代替リスク情報との組み合わせを、リスク有り代替手段とし、前記第１の識別子と、実装要件と、リスク有り代替手段とを対応付けて格納し、
前記代替手段決定部は、前記第２の仕様情報に関して、前記第２の識別子に対応する前記第２の条件に基づいて、前記実装要件、前記リスク有り代替手段の少なくともいずれかを、前記提案代替手段として決定する、請求項３に記載の情報処理装置。
【請求項５】
前記被代替情報管理部は、回避対象リスクに関する情報を取得し、
前記代替手段決定部は、前記回避対象リスクに対応する、前記リスク有り代替手段を、提案代替手段から除外する、請求項４に記載の情報処理装置。
【請求項６】
前記代替部品決定部は、前記第２の識別子に対応する前記第１の条件を満たし、前記第２の識別子に対応する前記第３の条件を満たす前記登録部品を、前記提案代替部品として決定する、請求項１乃至５のいずれか一に記載の情報処理装置。
【請求項７】
前記第１の識別子は、前記登録部品の種別を識別する情報を含んで構成され、
前記第１の仕様情報は、前記第１の識別子に応じたデータ構造を含む、請求項１乃至６のいずれか一に記載の情報処理装置。
【請求項８】
第２の識別子と第２の仕様情報とを特定可能である情報の入力を受け付け、情報処理装置に送信する、端末と、
前記情報処理装置と、
を含んで構成され、
前記情報処理装置は、
部品の仕様に関する２以上の要素の組を、仕様情報とし、予め登録されている登録部品に関する第１の識別子と、前記登録部品を識別する情報と、第１の仕様情報とを対応付けて格納し、且つ、前記第１の識別子と、第１の条件と、第２の条件と、第３の条件とを対応付けて格納する、記憶部と、
前記第２の識別子と前記第２の仕様情報とを特定可能である情報を、前記端末から取得する、被代替情報管理部と、
前記第２の仕様情報に関して、前記第２の識別子に対応する前記第１の条件と、前記第２の条件又は前記第３の条件とに基づいて、提案代替部品を決定する、代替部品決定部と、
前記第２の仕様情報に関して、前記第２の識別子に対応する前記第２の条件に基づいて、提案代替手段を決定する、代替手段決定部と、
前記提案代替部品、前記提案代替手段の少なくともいずれかに関する情報を含む、提案情報を出力する、提案情報管理部と、
を備える、情報処理システム。
【請求項９】
部品の仕様に関する２以上の要素の組を、仕様情報とし、予め登録されている登録部品に関する第１の識別子と、前記登録部品を識別する情報と、第１の仕様情報とを対応付けて格納し、且つ、前記第１の識別子と、第１の条件と、第２の条件と、第３の条件とを対応付けて格納する、記憶部を備える情報処理装置が、
第２の識別子と第２の仕様情報とを特定可能である情報を取得する工程と、
前記第２の仕様情報に関して、前記第２の識別子に対応する前記第１の条件と、前記第２の条件又は前記第３の条件とに基づいて、提案代替部品を決定する工程と、
前記第２の仕様情報に関して、前記第２の識別子に対応する前記第２の条件に基づいて、提案代替手段を決定する工程と、
前記提案代替部品、前記提案代替手段の少なくともいずれかに関する情報を含む、提案情報を出力する工程と、
を含む保守支援方法。
【請求項１０】
部品の仕様に関する２以上の要素の組を、仕様情報とし、予め登録されている登録部品に関する第１の識別子と、前記登録部品を識別する情報と、第１の仕様情報とを対応付けて格納し、且つ、前記第１の識別子と、第１の条件と、第２の条件と、第３の条件とを対応付けて格納する、記憶部を備える情報処理装置を制御するコンピュータに、
第２の識別子と第２の仕様情報とを特定可能である情報を取得する処理と、
前記第２の仕様情報に関して、前記第２の識別子に対応する前記第１の条件と、前記第２の条件又は前記第３の条件とに基づいて、提案代替部品を決定する処理と、
前記第２の仕様情報に関して、前記第２の識別子に対応する前記第２の条件に基づいて、提案代替手段を決定する処理と、
前記提案代替部品、前記提案代替手段の少なくともいずれかに関する情報を含む、提案情報を出力する処理と、
を実行させるプログラム。
【発明の詳細な説明】
【技術分野】
【０００１】
本発明は、情報処理装置、情報処理システム、保守支援方法及びプログラムに関する。
【背景技術】
【０００２】
一般的に、メーカーは、製品（装置）の販売開始後、通常、所定の期間、部品を生産する。そして、部品が生産中止となり、在庫がなくなった場合には、メーカーは、部品の供給を停止する。そのため、当該装置を構成する部品の生産中止後、装置が故障した場合には、当該装置を構成する部品を入手できなくなり、ユーザは、当該装置の使用を継続できなくなる可能性がある。その場合には、ユーザは、故障した装置に替えて、新たな装置を購入等する必要が生じる。
【０００３】
特許文献１には、提案支援システムが記載されている。特許文献１に記載された提案支援システムは、代替される装置の稼働量、当該稼働量の予測値とに基づいて、代替装置を特定し、代替される装置と代替装置とに関して、夫々、代替前の稼働量の実績値と、代替後の稼動量の実績値とを出力する。
【先行技術文献】
【特許文献】
【０００４】
【特許文献１】特開２０１４−１９９６３９号公報
【発明の概要】
【発明が解決しようとする課題】
【０００５】
なお、上記先行技術文献の開示を、本書に引用をもって繰り込むものとする。以下の分析は、本発明の観点からなされたものである。
【０００６】
上記の通り、装置が故障し、当該装置を構成する部品を入手できなくなった場合には、ユーザは、故障した装置に替えて、新たな装置を購入等する必要が生じる。しかし、故障した装置に関して、故障した部品とは異なる部品に交換することで、当該装置の機能を継続できる場合がある。
【０００７】
特許文献１においては、代替可能な機器を提案する技術が記載されている。しかし、特許文献１においては、装置を構成する部品を交換することで、当該装置の機能を継続させることについては記載されていない。
【０００８】
そこで、本発明は、部品を交換する場合に、交換される部品を含む装置の機能を継続させることに貢献する情報処理装置、情報処理システム、保守支援方法及びプログラムを提供することを目的とする。
【課題を解決するための手段】
【０００９】
第１の視点によれば、情報処理装置が提供される。前記情報処理装置は、部品の仕様に関する２以上の要素の組を、仕様情報とし、予め登録されている登録部品に関する第１の識別子と、前記登録部品を識別する情報と、第１の仕様情報とを対応付けて格納し、且つ、前記第１の識別子と、第１の条件と、第２の条件と、第３の条件とを対応付けて格納する、記憶部を備える。
さらに、前記情報処理装置は、第２の識別子と第２の仕様情報とを特定可能である情報を取得する、被代替情報管理部を備える。
さらに、前記情報処理装置は、前記第２の仕様情報に関して、前記第２の識別子に対応する前記第１の条件と、前記第２の条件又は前記第３の条件とに基づいて、提案代替部品を決定する、代替部品決定部を備える。
さらに、前記情報処理装置は、前記第２の仕様情報に関して、前記第２の識別子に対応する前記第２の条件に基づいて、提案代替手段を決定する、代替手段決定部を備える。
さらに、前記情報処理装置は、前記提案代替部品、前記提案代替手段の少なくともいずれかに関する情報を含む、提案情報を出力する、提案情報管理部を備える。
【００１０】
第２の視点によれば、情報処理システムが提供される。前記情報処理システムは、第２の識別子と第２の仕様情報とを特定可能である情報の入力を受け付け、情報処理装置に送信する、端末と、前記情報処理装置と、を含んで構成される。
前記情報処理装置は、部品の仕様に関する２以上の要素の組を、仕様情報とし、予め登録されている登録部品に関する第１の識別子と、前記登録部品を識別する情報と、第１の仕様情報とを対応付けて格納し、且つ、前記第１の識別子と、第１の条件と、第２の条件と、第３の条件とを対応付けて格納する、記憶部を備える。
さらに、前記情報処理装置は、前記第２の識別子と前記第２の仕様情報とを特定可能である情報を、前記端末から取得する、被代替情報管理部を備える。
さらに、前記情報処理装置は、前記第２の仕様情報に関して、前記第２の識別子に対応する前記第１の条件と、前記第２の条件又は前記第３の条件とに基づいて、提案代替部品を決定する、代替部品決定部を備える。
さらに、前記情報処理装置は、前記第２の仕様情報に関して、前記第２の識別子に対応する前記第２の条件に基づいて、提案代替手段を決定する、代替手段決定部を備える。
さらに、前記情報処理装置は、前記提案代替部品、前記提案代替手段の少なくともいずれかに関する情報を含む、提案情報を出力する、提案情報管理部を備える。
【００１１】
第３の視点によれば、保守支援方法が提供される。前記保守支援方法は、部品の仕様に関する２以上の要素の組を、仕様情報とし、予め登録されている登録部品に関する第１の識別子と、前記登録部品を識別する情報と、第１の仕様情報とを対応付けて格納し、且つ、前記第１の識別子と、第１の条件と、第２の条件と、第３の条件とを対応付けて格納する、記憶部を備える情報処理装置が、第２の識別子と第２の仕様情報とを特定可能である情報を取得する工程を含む。
さらに、前記保守支援方法は、前記情報処理装置が、前記第２の仕様情報に関して、前記第２の識別子に対応する前記第１の条件と、前記第２の条件又は前記第３の条件とに基づいて、提案代替部品を決定する工程を含む。
さらに、前記保守支援方法は、前記情報処理装置が、前記第２の仕様情報に関して、前記第２の識別子に対応する前記第２の条件に基づいて、提案代替手段を決定する工程を含む。
さらに、前記保守支援方法は、前記情報処理装置が、前記提案代替部品、前記提案代替手段の少なくともいずれかに関する情報を含む、提案情報を出力する工程を含む。
なお、本方法は、記憶部を備える情報処理装置という、特定の機械に結び付けられている。
【００１２】
第４の視点によれば、プログラムが提供される。前記プログラムは、部品の仕様に関する２以上の要素の組を、仕様情報とし、予め登録されている登録部品に関する第１の識別子と、前記登録部品を識別する情報と、第１の仕様情報とを対応付けて格納し、且つ、前記第１の識別子と、第１の条件と、第２の条件と、第３の条件とを対応付けて格納する、記憶部を備える情報処理装置を制御するコンピュータに、第２の識別子と第２の仕様情報とを特定可能である情報を取得する処理を実行させる。
さらに、前記プログラムは、前記第２の仕様情報に関して、前記第２の識別子に対応する前記第１の条件と、前記第２の条件又は前記第３の条件とに基づいて、提案代替部品を決定する処理を、前記コンピュータに実行させる。
さらに、前記プログラムは、前記第２の仕様情報に関して、前記第２の識別子に対応する前記第２の条件に基づいて、提案代替手段を決定する処理を、前記コンピュータに実行させる。
さらに、前記プログラムは、前記提案代替部品、前記提案代替手段の少なくともいずれかに関する情報を含む、提案情報を出力する処理を、前記コンピュータに実行させる。
なお、これらのプログラムは、コンピュータが読み取り可能な記憶媒体に記録することができる。記憶媒体は、半導体メモリ、ハードディスク、磁気記録媒体、光記録媒体等の非トランジェント（non-transient）なものとすることができる。本発明は、コンピュータプログラム製品として具現することも可能である。
【発明の効果】
【００１３】
各視点によれば、部品を交換する場合に、交換される部品を含む装置の機能を継続させることに貢献する情報処理装置、情報処理システム、保守支援方法及びプログラムが提供される。
【図面の簡単な説明】
【００１４】
【図１】一実施形態の概要を説明するための図である。
【図２】情報処理システム１０の全体構成の一例を示すブロック図である。
【図３】製品構成情報データベース１１０の一例を示すブロック図である。
【図４】ハードディスクドライブに関する部品情報テーブルの一例を示す図である。
【図５】磁気テープ記憶装置に関する部品情報テーブルの一例を示す図である。
【図６】判定条件データベース１１２の一例を示す図である。
【図７】代替手段データベース１１３の一例を示す図である。
【図８】情報処理装置１００の動作の一例を示すフローチャートである。
【図９】情報処理装置１００の動作の一例を示すフローチャートである。
【図１０】情報処理装置１００の動作の一例を示すフローチャートである。
【図１１】情報処理装置１００の動作の一例を示すフローチャートである。
【図１２】コンピュータ１のハードウェア構成の一例を示すブロック図である。
【発明を実施するための形態】
【００１５】
初めに、図１を用いて一実施形態の概要について説明する。なお、この概要に付記した図面参照符号は、理解を助けるための一例として各要素に便宜上付記したものであり、この概要の記載はなんらの限定を意図するものではない。また、各ブロック図のブロック間の接続線は、双方向及び単方向の双方を含む。一方向矢印については、主たる信号（データ）の流れを模式的に示すものであり、双方向性を排除するものではない。さらに、本願開示に示す回路図、ブロック図、内部構成図、接続図などにおいて、明示は省略するが、入力ポート及び出力ポートが各接続線の入力端及び出力端のそれぞれに存在する。入出力インターフェイスも同様である。
【００１６】
上記の通り、部品を交換する場合に、交換される部品を含む装置の機能を継続させることに貢献する情報処理装置が望まれる。
【００１７】
そこで、一例として、図１に示す情報処理装置１０００を提供する。情報処理装置１０００は、記憶部１００１と、被代替情報管理部１００２と、代替部品決定部１００３と、代替手段決定部１００４と、提案情報管理部１００５とを含んで構成される。
【００１８】
記憶部１００１は、部品の仕様に関する２以上の要素の組を、仕様情報とし、予め登録されている登録部品に関する第１の識別子と、登録部品を識別する情報と、第１の仕様情報とを対応付けて格納する。部品の仕様に関する要素は、部品を入手、実装するために利用可能な情報であれば、その詳細は問わない。さらに、記憶部１００１は、第１の識別子と、第１の条件と、第２の条件と、第３の条件とを対応付けて格納する。
【００１９】
被代替情報管理部１００２は、第２の識別子と第２の仕様情報とを特定可能である情報を取得する。ここで、第２の識別子は、代替される部品に関する識別子である。また、第２の仕様情報は、代替される部品の仕様に関する情報である。
【００２０】
代替部品決定部１００３は、第２の仕様情報に関して、第２の識別子に対応する第１の条件と、第２の条件又は第３の条件とに基づいて、提案代替部品を決定する。
【００２１】
代替手段決定部１００４は、第２の仕様情報に関して、第２の識別子に対応する第２の条件に基づいて、提案代替手段を決定する。具体的には、代替手段決定部１００４は、代替される部品の仕様に関して、第２の条件に基づいて、代替可能な手段を提案することを決定する。代替される部品の仕様と、提案代替部品の仕様間に異なる仕様がある場合であっても、情報処理装置１０００は、第２の条件に基づいて、代替可能な手段を提案する。
【００２２】
提案情報管理部１００５は、提案代替部品、提案代替手段の少なくともいずれかに関する情報を含む、提案情報を出力する。具体的には、提案情報管理部１００５は、代替される部品に替えて、代替可能な部品（即ち、提案代替部品）、代替可能な手段（即ち、提案代替手段）の少なくともいずれかに関する情報を含む提案情報を出力する。
【００２３】
交換される部品を含む装置のユーザ、保守作業者等は、情報処理装置１０００が出力する提案情報に基づいて、当該部品に替えて、提案代替部品を実装する。または、交換される部品を含む装置のユーザ、保守作業者等は、情報処理装置１０００が出力する提案情報に基づいて、当該部品に替えて、提案代替手段を採用（利用）する。
【００２４】
従って、情報処理装置１０００は、部品を交換する場合に、交換される部品を含む装置の機能を継続させることに貢献する。
【００２５】
［第１の実施形態］
第１の実施形態について、図面を用いて詳細に説明する。以下の説明においては、上記の第１の条件を、必須条件と呼ぶ。また、以下の説明においては、上記の第２の条件を、推奨条件と呼ぶ。
【００２６】
また、以下の説明では、他の部品を採用することで、代替される部品を、被代替部品と呼ぶ。また、以下の説明では、被代替部品を含む装置に関して、被代替部品に替えて実装した場合であっても、当該装置を動作させることが可能である部品を、代替部品と呼ぶ。また、以下の説明では、被代替部品を含む装置に関して、代替部品に替えて実装した場合であっても、当該装置を動作させることが可能である手段（方法）を、代替手段と呼ぶ。
【００２７】
［情報処理システムの構成］
図２は、本実施形態に係る情報処理システム１０の全体構成の一例を示すブロック図である。情報処理システム１０は、情報処理装置１００と、端末２００とを含んで構成される。なお、図２は、１つの端末２００を示すが、これは、端末２００の数を１つに限定する趣旨ではない。情報処理システム１０は、２以上の端末２００を含んで構成されてもよいことは勿論である。
【００２８】
情報処理装置１００は、ネットワーク３００を介して、１又は２以上の端末２００と接続する。ネットワーク３００は、インターネット、イントラネット、ＬＡＮ（Local Area Network）等であってもよく、その詳細は問わない。
【００２９】
情報処理装置１００は、被代替部品に関する情報を取得し、被代替部品に対応する代替部品、代替手段の少なくともいずれかを提案する情報処理装置（コンピュータ）である。情報処理装置１００は、被代替部品に対応する代替部品、代替手段の少なくともいずれかに関する情報を、ディスプレイ（図示せず）に表示してもよい。また、情報処理装置１００は、被代替部品に対応する代替部品、代替手段の少なくともいずれかに関する情報を、端末２００に送信してもよい。情報処理装置１００は、ＰＣ（Personal Computer）、ワークステーション、サーバ等であってもよく、本書で説明する機能を実現できれば、その詳細は問わない。
【００３０】
端末２００は、被代替部品を含む装置のユーザ、保守作業者等が使用する情報処理装置（コンピュータ）である。被代替部品を含む装置のユーザ、保守作業者等は、端末２００を用いて、被代替部品に関する情報を入力してもよい。端末２００は、入力された被代替部品に関する情報を、情報処理装置１００に送信する。また、端末２００は、被代替部品に対応する代替部品、代替手段の少なくともいずれかに関する情報を、情報処理装置１００から受信してもよい。端末２００は、ＰＣ、スマートフォン、タブレット端末等であってもよい。
【００３１】
［情報処理装置の構成］
次に、図２を参照しながら、情報処理装置１００の内部構成について詳細に説明する。
【００３２】
情報処理装置１００は、記憶部１０１と、通信部１０２と、入力部１０３と、被代替情報管理部１０４と、代替部品決定部１０５と、代替手段決定部１０６と、提案情報管理部１０７とを含んで構成される。なお、情報処理装置１００は、図示しないハードウェア、ソフトウェアを含んでもよいことは勿論である。
【００３３】
記憶部１０１は、情報処理装置１００を動作させるために必要な情報を記憶する。さらに、記憶部１０１は、製品構成情報データベース１１０と、部品情報データベース１１１と、判定条件データベース１１２と、代替手段データベース１１３とを格納する。記憶部１０１は、磁気ディスク装置や光ディスク装置、半導体メモリ等によって実現される。
【００３４】
製品構成情報データベース１１０は、製品の構成に関する情報を格納する。部品情報データベース１１１は、部品を入手、実装するために利用可能な情報を格納する。判定条件データベース１１２は、部品を代替するための必須条件と推奨条件と完全代替条件とを格納する。代替手段データベース１１３は、部品に関する識別子と、実装要件と、リスクを伴う代替手段に関する情報とを対応付けて格納する。
【００３５】
製品構成情報データベース１１０、部品情報データベース１１１、判定条件データベース１１２、代替手段データベース１１３は、部品に関する、共通の識別子（第１の識別子）を含んで構成されるものとする。なお、以下の説明では、第１の識別子として、部品の種別を示す情報を例示して説明する。ただし、これは、第１の識別子を、部品の種別を示す情報に限定する趣旨ではない。第１の識別子は、部品に関する情報であれば、その詳細は問わない。また、上記の通り、部品の仕様に関する要素は、部品を入手、実装するために利用可能な情報であれば、その詳細は問わない。
【００３６】
例えば、部品がハードディスクドライブである場合、部品の仕様に関する要素は、「容量」、「回転数」、「インターフェイス」等であってもよい。また、例えば、部品が磁気テープ記憶装置である場合、部品の仕様に関する要素は、「転送速度」、「規格」、「対応ＯＳ（Operating System）」、「対応アプリケーション」等であってもよい。さらに、部品の仕様に関する要素は、部品を入手可能であるか否かを示す情報を含んでもよい。
【００３７】
［製品構成情報データベースの構成］
次に、製品構成情報データベース１１０について詳細に説明する。製品構成情報データベース１１０は、製品を識別する情報と、当該製品を構成する部品に関連する情報とを対応付けて格納する。以下の説明では、製品を識別する情報を、製品識別情報と呼ぶ。また、以下の説明では、製品を構成する部品に関連する情報を、部品関連情報と呼ぶ。部品関連情報は、対応する部品に関する識別子（第１の識別子）と、部品を識別する情報（型番、部品名）と、部品に関するキーワードとを含んで構成される。以下の説明では、部品に関するキーワードを、部品キーワードと呼ぶ。
【００３８】
図３は、製品構成情報データベース１１０の一例を示す図である。図３に示す製品構成情報データベース１１０は、製品型番、製品名、部品関連情報を含んで構成される。図３に示す製品構成情報データベース１１０は、３つの部品（「部品＿１」、「部品＿２」、「部品＿３」）に関する部品関連情報を含む。
【００３９】
例えば、製品型番「Ｎ８１００−ｘｘｘ」であって製品名「ＣＣＣ５８００／ｘｘｘｘ」の製品は、識別子「ＨＤＤ」、部品型番「Ｎ８１５０−ｘｘｘ」、部品名「５００ＧＢ  ＳＡＴＡ  ＨＤＤ」の部品を含んで構成される。部品型番「Ｎ８１５０−ｘｘｘ」、部品名「５００ＧＢ  ＳＡＴＡ  ＨＤＤ」の部品に関して、部品キーワードは、「５００ＧＢ；ハードディスクドライブ」である。
【００４０】
［部品情報データベースの構成］
次に、部品情報データベース１１１の構成について詳細に説明する。部品情報データベース１１１は、部品の仕様に関する情報を格納する。
【００４１】
具体的には、部品情報データベース１１１は、第１の識別子と、予め登録されている登録部品を識別する情報と、当該登録部品に関する仕様情報とを対応付けて格納する。登録部品に関する仕様情報（第１の仕様情報）は、登録部品に関する制限事項を含んで構成されてもよい。ここで、登録部品に関する制限事項とは、当該登録部品を利用する際の制限事項を意味する。
【００４２】
また、登録部品に関する仕様情報（第１の仕様情報）は、第１の識別子に応じたデータ構造を含んでもよい。換言すると、部品情報データベース１１１は、第１の識別子に応じて、登録部品に関する仕様に関して、異なるデータ構造のテーブルを含んで構成されてもよい。例えば、第１の識別子が、部品の種別を示す情報である場合、部品情報データベース１１１は、部品の種別に応じて、異なるデータ構造のテーブルを含んで構成されてもよい。以下の説明では、部品情報データベース１１１に含まれるテーブルを、部品情報テーブルと呼ぶ。
【００４３】
図４は、ハードディスクドライブ（Hard Disk Drive（ＨＤＤ））に関する部品情報テーブルの一例を示す図である。図４に示す部品情報テーブルは、識別子（第１の識別子）「ＨＤＤ」と、登録部品を識別する情報（部品型番、部品名）と、第１の仕様情報（容量、ＨＤＤ回転数、タイプ、ベンダー、インターフェイス、トレイ、制限事項、生産終了時期）とを含む。例えば、インターフェイスは、ＳＡＴＡ（Serial Advanced Technology Attachment）、ＳＣＳＩ（Small Computer System Interface）等である。
【００４４】
図５は、磁気テープ記憶装置に関する部品情報テーブルの一例を示す図である。図５に示す部品情報テーブルは、識別子（第１の識別子）「ＴＡＰＥ」と、登録部品を識別する情報（部品型番、部品名）と、第１の仕様情報（転送速度、規格、ベンダー、対応ＯＳ（Operating System）、対応アプリケーション、備考、生産終了時期）とを含む。
【００４５】
［判定条件データベースの構成］
次に、判定条件データベース１１２について詳細に説明する。判定条件データベース１１２は、第１の識別子と、必須条件（第１の条件）と、推奨条件（第２の条件）と、完全代替条件（第３の条件）とを対応付けて格納する。
【００４６】
必須条件（第１の条件）は、部品の仕様に関する、複数の要素（第１の要素）を含んで構成されるものとする。そして、必須条件に含まれる全ての要素（第１の要素）に関して、代替候補の部品の仕様が、被代替部品の仕様を満たす場合、当該代替候補の部品は、被代替部品の必須条件を満たすものとする。
【００４７】
完全代替条件（第３の条件）は、部品の仕様に関する、複数の要素（第３の要素）を含んで構成されるものとする。そして、完全代替条件に含まれる全ての要素（第３の要素）に関して、代替候補の部品の仕様が、被代替部品の仕様を満たす場合、当該代替候補の部品は、被代替部品の完全代替条件を満たすものとする。
【００４８】
例えば、被代替部品がハードディスクドライブである場合、必須条件に含まれる要素（第１の要素）は、ハードディスクドライブのインターフェイス（接続回路、接続コネクタの種類、信号線の数等）に関する情報であってもよい。また、被代替部品がハードディスクドライブである場合、完全代替条件に含まれる要素（第３の要素）は、実装（取り付け方、機械的な組み込みに関する方法）に関する情報であってもよい。
【００４９】
例えば、実装に関する情報として、ハードディスクの機械的な組み込み条件の、ハードディスクドライブを機器に実装する際の取り付け部品であるトレイ、が必要か否か、そのトレイの形状、そのトレイの取り付けボルト用穴や雌ねじのサイズ、を例示して説明する。完全代替条件を満たす場合とは、トレイが必要か否か、トレイの形状、トレイの取り付けボルト用穴や雌ねじのサイズ、の全てが、被代替部品の場合と同一である場合に、完全代替条件を満たすとしてもよい。
【００５０】
また、例えば、ハードディスクの機械的な組み込み条件を、推奨条件としてもよい。その場合、推奨条件としては、被代替部品にトレイが必要か否かを問わない。例えば、被代替部品のハードディスクと推奨代替部品の代替部品の、機器への取り付けに使われるトレイの形状が、機器側は同一だが、ハードディスク側はハードディスクの形状に合わせた形状であって、トレイの取り付けボルト用穴や雌ねじのサイズも、機器側は同一だが、ハードディスク側はハードディスクに合わせた取り付けボルト用穴や雌ねじのサイズである場合に、推奨条件を満たすとしてもよい。
【００５１】
代替候補の部品が、必須条件の全てを満たし、全ての完全代替条件を満たす場合には、被代替部品を、代替候補の部品に置き換えが可能である、と情報処理装置１００は判断する。
【００５２】
推奨条件（第２の条件）は、部品の仕様に関する、１又は２以上の要素（第２の要素）を含んで構成されるものとする。そして、推奨条件に含まれる第２の要素のうち、代替候補の部品の仕様が、被代替部品の仕様を満たす場合、当該代替候補の部品は、被代替部品の推奨条件を満たすものとする。
【００５３】
代替候補の部品が、被代替部品に関する必須条件を満たすが、完全代替条件を満たさない場合であっても、全ての推奨条件を満たす場合、代替手段決定部１０６は、当該代替候補の部品を、推奨代替部品として決定する。
【００５４】
代替候補の部品が、必須条件の全てを満たし、全ての推奨条件を満たす場合には、代替部品（推奨代替部品）や代替手段（提案代替手段）はあるが、被代替部品を代替部品へ、そのまま置き換えはできず、また、リスクが発生する場合がある。
【００５５】
また、代替候補の部品が、必須条件の全てを満たしても、推奨条件の全てもしくは完全代替条件の全てを満たさない場合には、代替部品や代替手段がない、と情報処理装置１００は判断する。
【００５６】
図６は、判定条件データベース１１２の一例を示す図である。図６に示す判定条件データベース１１２は、識別子（第１の識別子）「ＨＤＤ」、「ＴＡＰＥ」に対応する、必須条件と完全代替条件と推奨条件とを含む。
【００５７】
識別子「ＨＤＤ」に対応する必須条件と完全代替条件と推奨条件は、被代替部品がハードディスクドライブである場合における、必須条件と完全代替条件と推奨条件とを示す。また、識別子「ＴＡＰＥ」に対応する必須条件と完全代替条件と推奨条件とは、被代替部品が磁気テープ記憶装置である場合における、必須条件と完全代替条件と推奨条件とを示す。
【００５８】
識別子「ＨＤＤ」に対応する「必須条件＿１  容量」とは、代替部品が、被代替部品であるハードディスクドライブの容量と同一のハードディスクドライブであることが必要であることを示す。
【００５９】
また、識別子「ＨＤＤ」に対応する「必須条件＿２  ＨＤＤ回転数」とは、代替部品が、被代替部品の回転数と同一のハードディスクドライブであることが必要であることを示す。
【００６０】
また、識別子「ＨＤＤ」に対応する「必須条件＿３  タイプ（ｘ．ｘ）インチ」とは、代替部品は、被代替部品と同一のタイプのハードディスクドライブであることが必要であることを示す。ハードディスクドライブのタイプは、ハードディスクドライブ内部の円盤の大きさに応じて異なる。そのため、識別子「ＨＤＤ」に対応する「必須条件＿３  タイプ（ｘ．ｘ）インチ」とは、代替部品が、被代替部品と同一の大きさのハードディスクドライブであることが必要であることを示してもよい。
【００６１】
また、識別子「ＨＤＤ」に対応する「必須条件＿４  インターフェイス（Ｉ／Ｆ（interface））」とは、代替部品が、被代替部品と同一のインターフェイスのハードディスクドライブであることが必要であることを示す。
【００６２】
また、識別子「ＨＤＤ」に対応する「必須条件＿５  購入可否」とは、代替部品が、購入可能であることが必要であることを示す。例えば、代替部品の生産終了時期前である場合、代替部品決定部１０５は、代替部品を購入可能であると判断してもよい。一方、代替部品の生産終了時期を超えている場合、代替部品決定部１０５は、代替部品を購入できないと判断してもよい。
【００６３】
例えば、図６に示す判定条件データベース１１２は、被代替部品がハードディスクドライブである場合、代替部品と被代替部品とにおいて、容量、回転数、タイプ、インターフェイスが同一のハードディスクドライブであることが必要であることを示す。さらに、図６に示す判定条件データベース１１２は、被代替部品がハードディスクドライブである場合、代替部品が購入可能であることが必要であることを示す。
【００６４】
また、図６に示す判定条件データベース１１２において、識別子「ＨＤＤ」に対応する「推奨条件＿１  トレイ使用有無やトレイ形状」とは、トレイの使用有無、及びトレイ形状が、被代替部品と代替部品とが置き換え可能（交換可能）であればよいことを示す。さらに、「推奨条件＿１  トレイ使用有無やトレイ形状」とは、トレイの有無、トレイの形状、トレイの取り付け手段が被代替部品と代替部品で異なる場合であっても、被代替部品と代替部品とが置き換え可能（交換可能）であればよいことを示す。トレイの有無、トレイの形状、トレイの取り付け手段が被代替部品と代替部品で異なる場合、被代替部品と代替部品が、単純な置き換え（交換）とはならず、リスクが発生する可能性がある。ここで、リスクとは、例えば、障害が発生する可能性が上昇すること、コストが上昇すること等である。
【００６５】
なお、トレイの有無、トレイの形状、トレイの取り付け手段が被代替部品と代替部品で異なる場合であっても、リスクが発生しない場合もある。例えば、トレイを交換すると、トレイの費用に相当するコストがかかる。しかし、トレイを交換する場合の代替部品が被代替部品より安価である場合、トレイを交換せずに部品を交換する場合のコストより、コストが低くなる場合がある。
【００６６】
［代替手段データベースの構成］
次に、代替手段データベース１１３の構成について詳細に説明する。代替手段データベース１１３は、第１の識別子と、実装要件と、リスク有り代替手段とを対応付けて格納する。
【００６７】
実装要件とは、推奨条件に含まれる要素に関して、実装するための要件である。また、リスク有り代替手段とは、推奨条件を満たす代替手段と、代替リスク情報との組み合わせである。リスク有り代替手段は、被代替部品を含む装置に関して、被代替部品に替えて実装した場合であっても、当該装置を動作させることが可能であるが、リスクを伴う手段である。
【００６８】
代替リスク情報とは、当該代替手段を利用する場合におけるリスクに関する情報である。代替リスク情報は、被代替部品に替えて代替部品、代替手段を利用する場合において、発生し得る障害の内容であってもよい。また、代替リスク情報は、コスト（代替部品の価格、作業コスト等）が高くなるリスク、業務停止が発生し得るリスク、対象の装置の重量が増加するリスクを示す情報であってもよい。以下の説明では、推奨条件を満たす代替手段と、代替リスク情報との組み合わせを、リスク有り代替手段と呼ぶ。
【００６９】
図７は、代替手段データベース１１３の一例を示す図である。図７に示す代替手段データベース１１３は、識別子「ＨＤＤ」、「ＴＡＰＥ」、「ＢＴ」と、実装要件と、リスク有り代替手段とを含んで構成される。ここで、識別子「ＢＴ」は、バッテリー（Battery）を意味するものとする。
【００７０】
識別子「ＨＤＤ」に対応する実装要件、及びリスク有り代替手段は、被代替部品がハードディスクドライブである場合における、実装要件、及びリスク有り代替手段を示す。識別子「ＴＡＰＥ」に対応する実装要件、及びリスク有り代替手段は、被代替部品が磁気テープ記憶装置である場合における、実装要件、及びリスク有り代替手段を示す。識別子「ＢＴ」に対応する実装要件、及びリスク有り代替手段は、被代替部品がバッテリーである場合における、実装要件、及びリスク有り代替手段を示す。
【００７１】
識別子「ＨＤＤ」に対応する「実装要件＿１」は、代替部品として提案代替部品を利用する際に、被代替部品と、提案代替部品間で、各仕様に差分が無い場合、実装要件はないことを示す。例えば、提案代替部品が、被代替部品に関する必須条件を満たし、完全代替条件を満たす場合、代替手段決定部１０６は、図７に示す代替手段データベース１１３の「実装要件＿１」を採用してもよい。そして、当該代替部品を利用する際に、提案代替部品が、被代替部品に関する必須条件と完全代替条件とを満たす場合、実装要件はない、と代替手段決定部１０６は判断してもよい。
【００７２】
識別子「ＨＤＤ」に対応する「実装要件＿２」は、代替部品として提案代替部品を利用する際に、提案代替部品が載るトレイに、トレイを交換可能であることが必要であることを示す。
【００７３】
識別子「ＨＤＤ」に対応する「実装要件＿３」は、代替部品として提案代替部品を利用する際に、被代替部品の容量より、提案代替部品の容量が大きいことが必要であることを示す。
【００７４】
例えば、別の装置で使用しなくなったＨＤＤを、予備ＨＤＤとして流用する場合、当該予備ＨＤＤは、品質、寿命が新品より劣る可能性がある。また、例えば、障害を起こしたＨＤＤを、メーカーが修理して、予備ＨＤＤとして在庫し、予備ＨＤＤとして流用する場合がある。修理されたＨＤＤ（即ち、予備ＨＤＤ）に関して、メーカーが品質保証していない場合には、当該予備ＨＤＤは、品質、寿命が新品より劣る可能性がある。
【００７５】
また、識別子「ＨＤＤ」に対応する「リスク有り代替手段＿１」は、代替手段「アレイシステムにおける予備のＨＤＤを流用」と、代替リスク情報「品質、寿命が新品より劣る可能性あり」との組み合わせを示す。具体的には、識別子「ＨＤＤ」に対応する「リスク有り代替手段＿１」は、アレイシステムにおける予備のＨＤＤを流用する、との方法を利用することが可能であるが、当該方法を採用した場合には、品質、寿命が新品より劣る可能性があることを示す。
【００７６】
次に、情報処理装置１００の内部構成についてさらに詳細に説明する。なお、以下の説明では、第２の識別子として、被代替部品の種別を示す情報を例示して説明する。ただし、これは、第２の識別子を、被代替部品の種別を示す情報に限定する趣旨ではない。
【００７７】
通信部１０２は、ネットワーク３００と接続し、端末２００と通信する。通信部１０２は、端末２００から、被代替部品に関する識別子（第２の識別子）と、被代替部品の仕様に関する情報（第２の仕様情報）とを特定可能である情報を受信する。通信部１０２は、ＮＩＣ（Network Interface Card）等を用いて実現される。
【００７８】
入力部１０３は、ユーザの操作に基づいて、情報を受け付ける。例えば、入力部１０３は、キーボード、タッチパネル、音声入力手段等を用いて実現される。入力部１０３は、ユーザの操作に基づいて、情報を受け付けることができれば、その詳細は問わない。
【００７９】
被代替情報管理部１０４は、被代替部品に関する識別子（第２の識別子）と、被代替部品の仕様に関する情報（第２の仕様情報）とを特定可能である情報を取得する。以下の説明では、被代替部品に関する識別子（第２の識別子）と、被代替部品の仕様に関する情報（第２の仕様情報）とを特定可能である情報を、被代替情報と呼ぶ。
【００８０】
例えば、被代替部品の仕様に関する情報を特定可能な情報とは、被代替部品を含んで構成される装置を特定する情報であってもよい。その場合、被代替情報管理部１０４は、当該装置を特定する情報を取得した場合、製品構成情報データベース１１０を参照し、当該装置を特定する情報に基づいて、被代替部品の仕様に関する情報を特定してもよい。
【００８１】
例えば、通信部１０２は、被代替情報を、端末２００から受信したとする。その場合、被代替情報管理部１０４は、通信部１０２が受信した被代替情報を取得してもよい。
【００８２】
また、例えば、ユーザが、入力部１０３を利用して、被代替部品に関する識別子（第２の識別子）と、被代替部品の仕様に関する情報（第２の仕様情報）とを入力したとする。その場合、被代替情報管理部１０４は、入力部１０３に入力された、被代替部品に関する識別子（第２の識別子）と、被代替部品の仕様に関する情報（第２の仕様情報）とを取得する。
【００８３】
代替部品決定部１０５は、被代替部品の仕様に関する情報（第２の仕様情報）に関して、第１の条件に基づいて、提案代替部品を決定する。具体的には、代替部品決定部１０５は、被代替部品の仕様に関する情報（第２の仕様情報）に関して、第２の識別子に対応する必須条件を満たし、且つ、第２の識別子に対応する登録部品を、提案代替部品として決定する。ここで、必須条件に含まれる、複数の第１の要素に関して、登録部品に関する仕様情報（第１の仕様情報）と、被代替部品の仕様に関する情報（第２の仕様情報）が一致する場合、必須条件を満たす、と代替部品決定部１０５は判断する。
【００８４】
代替手段決定部１０６は、第２の仕様情報に関して、第２の識別子に対応する推奨条件（第２の条件）に基づいて、提案代替手段を決定する。具体的には、提案代替部品が、被代替部品に関する識別子（第２の識別子）に対応する必須条件を満たし、完全代替条件を満たさず、全ての推奨条件を満たす場合、代替手段決定部１０６は、提案代替部品が満たす推奨条件に基づいて、提案代替手段を決定する。
【００８５】
代替手段決定部１０６は、第２の識別子に対応する、推奨条件に含まれる要素（第２の要素）のうち、提案代替部品が満たす第２の要素に対応する、実装要件を、提案代替手段として決定する。なお、上記の通り、実装要件は、推奨条件に含まれる要素（第２の要素）に関する要件を含むものとする。
【００８６】
例えば、代替手段データベース１１３が、図７に示す情報を格納するとする。そして、被代替部品の識別子が「ＨＤＤ」であって、提案代替部品が、トレイに関する推奨条件を満たさないとする。その場合、代替手段決定部１０６は、図７に示す代替手段データベース１１３の「実装要件＿２」を採用してもよい。そして、代替手段決定部１０６は、「実装要件＿２」を、提案代替手段として決定してもよい。
【００８７】
提案情報管理部１０７は、提案代替部品、提案代替手段の少なくともいずれかに関する情報を含む、提案情報を出力する。
【００８８】
提案情報は、提案代替手段に関する情報を含む場合、提案代替手段に関する情報と、提案代替手段を利用する場合におけるリスクに関する情報との組み合わせを含んでもよい。以下の説明では、提案代替手段を利用する場合におけるリスクに関する情報を、提案代替リスク情報と呼ぶ。提案代替リスク情報は、被代替部品に替えて代替部品、代替手段を利用する場合において、発生し得る障害の内容であってもよい。また、提案代替リスク情報は、コスト（代替部品の価格、作業コスト等）が高くなるリスク、業務停止が発生し得るリスク、対象の装置の重量が増加するリスクを示す情報であってもよい。
【００８９】
被代替情報管理部１０４、代替部品決定部１０５、代替手段決定部１０６、提案情報管理部１０７は、コンピュータプログラムにより実現してもよい。そして、記憶部１０１は、被代替情報管理部１０４、代替部品決定部１０５、代替手段決定部１０６、提案情報管理部１０７を実現するコンピュータプログラムを記憶してもよい。
【００９０】
［情報処理装置の動作］
次に、情報処理装置１００の動作について詳細に説明する。
【００９１】
まず、図８を参照しながら、情報処理装置１００の動作について説明する。
【００９２】
ステップＳ１において、被代替情報管理部１０４は、被代替情報を取得する。例えば、ユーザは、被代替部品を特定する情報（部品型番、部品名等）を、入力部１０３を用いて入力してもよい。被代替情報管理部１０４は、入力された被代替部品を特定する情報を、被代替情報として取得する。
【００９３】
また、例えば、ユーザは、被代替部品を特定する情報を、端末２００に入力してもよい。その場合、端末２００は、入力された被代替部品を特定する情報を、ネットワーク３００を介して、情報処理装置１００に送信する。被代替情報管理部１０４は、通信部１０２が受信した被代替部品を特定する情報を、被代替情報として取得する。
【００９４】
例えば、ユーザが、障害が発生した装置の製品型番は分かるが、当該装置に含まれる被代替部品が分からない場合、ユーザは、被代替部品を特定する情報を入力できない。その場合、ユーザは、被代替部品を含む装置に関して、製品識別情報と、被代替部品に関する部品キーワードとを、入力部１０３を用いて入力してもよい。ここで、被代替情報管理部１０４は、入力された製品識別情報に対応する部品キーワードを、製品構成情報データベース１１０から抽出し、抽出した部品キーワードを、ユーザに提示してもよい。そして、ユーザは、提示された部品キーワードから、被代替部品に対応する部品キーワードを入力（選択）してもよい。被代替情報管理部１０４は、入力された製品識別情報と、被代替部品に関する部品キーワードとを、被代替情報として取得する。
【００９５】
または、ユーザは、製品識別情報と、被代替部品に関する部品キーワードとを、端末２００に入力してもよい。その場合、端末２００は、入力された製品識別情報と、被代替部品に関する部品キーワードとを、ネットワーク３００を介して、情報処理装置１００に送信する。被代替情報管理部１０４は、通信部１０２が受信した製品識別情報と、被代替部品に関する部品キーワードとを、被代替情報として取得する。
【００９６】
ステップＳ２において、被代替情報が被代替部品を特定する情報であるか否かを、被代替情報管理部１０４は判断する。被代替情報が被代替部品を特定する情報である場合（ステップＳ２のＹｅｓ分岐）には、被代替情報管理部１０４は、被代替情報に基づいて、被代替部品を特定する（ステップＳ３）。具体的には、被代替情報が被代替部品を特定する情報である場合（ステップＳ２のＹｅｓ分岐）には、被代替情報管理部１０４は、部品情報データベース１１１を参照し、被代替情報に基づいて、被代替部品を特定する。そして、ステップＳ７に遷移する。
【００９７】
一方、被代替情報が被代替部品を特定する情報ではない場合（ステップＳ２のＮｏ分岐）には、被代替情報が、製品識別情報と部品キーワードとの組み合わせであるか否かを、被代替情報管理部１０４は判断する（ステップＳ４）。
【００９８】
被代替情報が、製品識別情報と部品キーワードとの組み合わせではない場合（ステップＳ４のＮｏ分岐）には、被代替情報管理部１０４は、被代替部品を特定できない、と判断する（ステップＳ５）。そして、情報処理装置１００は、代替部品を提案する処理を終了する。
【００９９】
一方、被代替情報が、製品識別情報と部品キーワードとの組み合わせである場合（ステップＳ４のＹｅｓ分岐）には、被代替情報管理部１０４は、製品構成情報データベース１１０を参照し、被代替情報に基づいて、被代替部品を特定する（ステップＳ６）。そして、ステップＳ７に遷移する。
【０１００】
ステップＳ７において、被代替情報管理部１０４は、部品情報データベース１１１に格納された部品情報テーブルのうち、被代替部品に関する識別子に対応する部品情報テーブルを特定する。
【０１０１】
ステップＳ８において、代替部品決定部１０５は、判定条件データベース１１２を参照し、被代替部品に関する識別子に対応する必須条件を特定する。
【０１０２】
ステップＳ９において、特定した必須条件を満たす部品が、特定した部品情報テーブルに登録されているか否かを、代替部品決定部１０５は判断する。特定した必須条件を満たす部品が、特定した部品情報テーブルに登録されていない場合（ステップＳ９のＮｏ分岐）には、代替部品決定部１０５は、被代替部品を代替できないと判断する（ステップＳ１１）。そして、情報処理装置１００は、代替部品を提案する処理を終了する。
【０１０３】
一方、特定した必須条件を満たす部品が、特定した部品情報テーブルに登録されている場合（ステップＳ９のＹｅｓ分岐）には、代替部品決定部１０５は、特定した必須条件を満たす部品を、提案代替部品として特定する（ステップＳ１０）。そして、図９に示すステップＳ２１に遷移する。
【０１０４】
次に、図９を参照しながら、情報処理装置１００の動作について、引き続き説明する。
【０１０５】
ステップＳ２１において、代替手段決定部１０６は、判定条件データベース１１２を参照し、被代替部品に関する識別子に対応する完全代替条件を特定する。
【０１０６】
ステップＳ２２において、決定した提案代替部品が全ての完全代替条件を満たすか否かを、代替部品決定部１０５は判断する。決定した提案代替部品が全ての完全代替条件を満たす場合（ステップＳ２２のＹｅｓ分岐）には、図１０に示すステップＳ３１に遷移する。
【０１０７】
一方、決定した提案代替部品が全ての推奨条件を満たさない場合（ステップＳ２２のＮｏ分岐）には、図１１に示すステップＳ４１に遷移する。
【０１０８】
次に、図１０を参照しながら、提案代替部品が、必須条件及び完全代替条件を満たした場合の動作について説明する。
【０１０９】
ここで、特定した提案代替部品が全ての完全代替条件を満たす（図９に示すステップＳ２２のＹｅｓ分岐）とする。その場合、ステップＳ３１において、特定した部品情報テーブルに、提案代替部品に対応する制限事項が登録されているか否かを、提案情報管理部１０７は判断する。特定した部品情報テーブルに、提案代替部品に対応する制限事項が登録されていない場合（ステップＳ３１のＮｏ分岐）には、提案情報管理部１０７は、提案代替部品を特定する情報を含む、提案情報を生成する（ステップＳ３２）。そして、ステップＳ３５に遷移する。
【０１１０】
一方、特定した部品情報テーブルに、提案代替部品に対応する制限事項が登録されている場合（ステップＳ３１のＹｅｓ分岐）には、提案情報管理部１０７は、提案代替部品に対応する制限事項を抽出する（ステップＳ３３）。そして、提案情報管理部１０７は、提案代替部品を特定する情報と、提案代替部品に対応する制限事項とを含む、提案情報を生成する（ステップＳ３４）。
【０１１１】
ステップＳ３５において、提案情報管理部１０７は、通信部１０２を介して、端末２００に提案情報を送信する。そして、情報処理装置１００は、代替部品を提案する処理を終了する。
【０１１２】
次に、図１１を参照しながら、提案代替部品が、必須条件を満たし、完全代替条件を満たさない場合の動作について説明する。
【０１１３】
ここで、提案代替部品が、必須条件を満たし、全ての完全代替条件を満たさない（ステップＳ２２のＮｏ分岐）とする。その場合、代替手段決定部１０６は、判定条件データベース１１２を参照し、被代替部品に関する識別子に対応する推奨条件を特定する（ステップＳ４１）。
【０１１４】
ステップＳ４２において、提案代替部品が全ての推奨条件を満たすか否かを、代替手段決定部１０６は判断する。提案代替部品が全ての推奨条件を満たさない場合（ステップＳ４２のＮｏ分岐）には、提案情報管理部１０７は、代替手段データベース１１３を参照し、被代替部品に関する識別子に対応する、リスク有り代替手段を特定する（ステップＳ４３）。そして、提案情報管理部１０７は、リスク有り代替手段を含む、提案情報を生成する（ステップＳ４４）。そして、提案情報管理部１０７は、通信部１０２を介して、端末２００に提案情報を送信する（ステップＳ４５）。そして、情報処理装置１００は、代替部品を提案する処理を終了する。
【０１１５】
一方、提案代替部品が全ての推奨条件を満たす場合（ステップＳ４２のＹｅｓ分岐）には、代替手段決定部１０６は、判定条件データベース１１２を参照し、被代替部品に関する識別子に対応する、実装要件を特定する（ステップＳ４６）。
【０１１６】
ステップＳ４７において、代替手段決定部１０６は、特定した実装要件を、提案代替手段として決定する。
【０１１７】
ステップＳ４８において、特定した部品情報テーブルに、提案代替部品に対応する制限事項が登録されているか否かを、提案情報管理部１０７は判断する。特定した部品情報テーブルに、提案代替部品に対応する制限事項が登録されていない場合（ステップＳ４８のＮｏ分岐）には、提案情報管理部１０７は、提案代替部品を特定する情報と、提案代替手段とを含む、提案情報を生成する（ステップＳ４９）。そして、ステップＳ５２に遷移する。
【０１１８】
一方、特定した部品情報テーブルに、提案代替部品に対応する制限事項が登録されている場合（ステップＳ４８のＹｅｓ分岐）には、提案情報管理部１０７は、提案代替部品に対応する制限事項を抽出する（ステップＳ５０）。そして、提案情報管理部１０７は、提案代替部品を特定する情報と、提案代替部品に対応する制限事項と、提案代替手段とを含む、提案情報を生成する（ステップＳ５１）。
【０１１９】
ステップＳ５２において、提案情報管理部１０７は、通信部１０２を介して、端末２００に提案情報を送信する。そして、情報処理装置１００は、代替部品を提案する処理を終了する。
【０１２０】
例えば、代替手段データベース１１３が、図７に示す情報を格納するとする。そして、被代替部品の識別子が「ＨＤＤ」であって、提案代替部品が、トレイに関する推奨条件を満たさないとする。その場合、代替手段決定部１０６は、「実装要件＿２  代替部品が載るトレイに、トレイを交換可能であること」を、提案代替手段として決定したとする。その場合、提案情報管理部１０７は、提案代替手段「実装要件＿２  代替部品が載るトレイに、トレイを交換可能であること」とともに、提案代替部品とを含む、提案情報を生成する。そして、情報処理装置１００は、端末２００に、生成した提案情報を送信するとする。
【０１２１】
ユーザは、端末２００が受信した提案情報に基づいて、被代替部品であるハードディスクドライブを、提案代替部品に交換すると共に、当該提案代替部品が載るトレイに交換すればよいと判断する。
【０１２２】
以上のように、本実施形態に係る情報処理装置１００は、被代替部品の仕様に関する必須条件に基づいて、代替部品を決定する。さらに、本実施形態に係る情報処理装置１００は、被代替部品の仕様に関する推奨条件に基づいて、代替手段を決定する。そのため、装置を構成する部品の供給が無くなった場合であっても、当該装置を使用するユーザ、保守作業者等は、情報処理装置１００が提案する代替部品、及び／又は代替手段を採用（利用）することで、当該装置を継続して動作させることが可能になる。従って、本実施形態に係る情報処理装置１００は、部品を交換する場合に、交換される部品（被代替部品）を含む装置の機能を継続させることに貢献する。
【０１２３】
また、本実施形態に係る情報処理装置１００は、被代替部品を含む装置に関して、リスクを伴いつつ、当該装置を動作させることが可能である、代替手段（即ち、リスク有り代替手段）を提案する。その場合、本実施形態に係る情報処理装置１００は、当該代替手段を利用する場合におけるリスクに関する情報を出力する。それにより、当該装置を使用するユーザ、保守作業者等は、リスク有り代替手段を採用（利用）することで、リスクを認識しつつ、当該装置を継続して動作させることが可能になる。従って、本実施形態に係る情報処理装置１００は、交換される部品（被代替部品）を含む装置の機能を継続させるために、多様な方法を提供することに貢献する。
【０１２４】
［第２の実施形態］
次に、第２の実施形態について詳細に説明する。本実施形態は、代替部品、及び／又は代替手段を利用して被代替部品を代替した場合に、ユーザが回避したいリスクを発生し得る部品、手段を、代替部品、代替手段から除外する形態である。なお、本実施形態における説明では、上記の実施形態と重複する部分の説明は省略する。さらに、本実施形態における説明では、上記の実施形態と同一の構成要素には、同一の符号を付し、その説明を省略する。また、本実施形態における説明では、上記の実施形態と同一の作用効果についても、その説明を省略する。以下、他の形態においても同様であるものとする。
【０１２５】
本実施形態に係る情報処理システム１０の全体構成、及び情報処理装置１００の内部構成は、図２に示すとおりである。
【０１２６】
本実施形態に係る被代替情報管理部１０４は、回避対象リスクに関する情報を取得する。回避対象リスクとは、代替部品、及び／又は代替手段を利用することで発生し得るリスクのうち、ユーザが回避したいリスクである。また、回避対象リスクに関する情報とは、回避対象リスクを特定する情報である。
【０１２７】
例えば、情報処理装置１００は、記憶部１０１に登録された回避対象リスクの候補を、ユーザに提示してもよい。さらに、回避対象リスクの候補は、代替手段データベース１１３に登録された、２以上の代替リスク情報であるものとする。ユーザは、提示された、回避対象リスクの候補から、入力部１０３（キーボード、タッチパネル等）を用いて、回避対象リスクを選択する。被代替情報管理部１０４は、入力部１０３を介して、選択された回避対象リスクを取得する。
【０１２８】
本実施形態に係る代替手段決定部１０６は、回避対象リスクに対応する、リスク有り代替手段を、提案代替手段から除外する。
【０１２９】
以上のように、本実施形態に係る情報処理装置１００は、被代替部品に替えて、提案代替手段を用いた場合であっても、ユーザが回避したいリスクが発生することを回避することに貢献する。よって、本実施形態に係る情報処理装置１００は、部品を交換する場合に、交換される部品（被代替部品）を含む装置の機能を、より一層、継続させることに貢献する。
【０１３０】
図１２は、情報処理装置１００を実現するコンピュータ１のハードウェア構成の一例を示すブロック図である。
【０１３１】
例えば、コンピュータ１は、内部バスにより相互に接続されるＣＰＵ（Central Processing Unit）２、通信インターフェイス３、メモリ４、入出力インターフェイス５等を備える。通信インターフェイス３は、ＮＩＣ（Network Interface Card）等である。メモリ４は、磁気ディスク装置や光ディスク装置、半導体メモリ等である。入出力インターフェイス５は、ＬＣＤ（Liquid Crystal Display）、有機ＥＬ（Electro-Luminescence）ディスプレイ等のインターフェイス、キーボード、タッチパネル等のインターフェイスである。
【０１３２】
情報処理装置１００の機能は、メモリ４に格納されたプログラムをＣＰＵ２が実行することで実現される。情報処理装置１００の機能の全部又は一部は、ＦＰＧＡ（Field Programmable Gate Array）、ＡＳＩＣ（Application Specific Integrated Circuit）等のハードウェアにより実現（ハードウェアに実装）されてもよい。また、上記プログラムは、ネットワークを介してダウンロードするか、あるいは、プログラムを記憶した記憶媒体を用いて、更新することができる。即ち、情報処理装置１００の機能は、何らかのハードウェアにおいてソフトウェアが実行されることによって実現できればよい。
【０１３３】
また、上記においては、部品の種別を識別する情報を、部品に関する識別子として利用する形態について説明した。しかし、これは、部品に関する識別子を、部品の種別を識別する情報に限定する趣旨ではない。例えば、部品に関する識別子は、部品を識別する情報（部品名、部品の種別等）、顧客を識別する情報等を組み合わせて構成されてもよい。
【０１３４】
また、上記においては、部品情報データベース１１１が、ハードディスクドライブ（ＨＤＤ）、磁気テープ記憶装置（ＴＡＰＥ）に対応する部品情報テーブルを含む形態について説明した。しかし、これは、部品情報データベース１１１が、ハードディスクドライブ（ＨＤＤ）、磁気テープ記憶装置（ＴＡＰＥ）に対応する部品情報テーブルを含む形態に限定する趣旨ではない。例えば、部品情報データベース１１１は、任意の部品に対応する情報テーブルを含んで構成されてもよいことは勿論である。例えば、部品情報データベース１１１は、ＣＰＵ（Central Processing Unit）、ＵＰＳ（Uninterruptible Power Supply）、ＤＲＡＭ（Dynamic Random Access Memory）等に対応する部品情報テーブルを含んで構成されてもよいことは勿論である。また、上記の説明は、被代替部品及び代替部品を、コンピュータに関連する部品に限定する趣旨ではない。
【０１３５】
また、上記においては、情報処理装置１００が、端末２００から被代替部品に関する情報を受信し、提案代替部品、提案代替手段の少なくともいずれかに関する情報（提案情報）を、端末２００に通知する形態について説明した。しかし、これは、情報処理装置１００の動作を限定する趣旨ではない。例えば、情報処理装置１００は、入力部１０３を介して、被代替部品に関する情報を取得してもよい。具体的には、ユーザは、情報処理装置１００の入力部１０３（キーボード、タッチパネル、音声入力手段等）を用いて、被代替部品に関する情報を入力してもよい。情報処理装置１００は、入力された被代替部品に関する情報に基づいて、提案情報等を特定してもよい。そして、情報処理装置１００は、特定した提案情報等を、ディスプレイ（図示せず）に表示させてもよい。また、情報処理装置１００は、プリンタ（図示せず）に、提案情報等を印刷させてもよい。
【０１３６】
また、上記においては、情報処理装置１００が、データベースを備える形態について説明した。しかし、これは、情報処理装置１００が、データベースを備える形態に限定する趣旨ではない。情報処理装置１００とは異なる装置（コンピュータ）（図示せず）が、上記に説明するデータベースを備えてもよい。その場合、例えば、情報処理装置１００は、ネットワーク３００を介して、当該データベースを格納する装置（コンピュータ）にアクセスしてもよい。
【０１３７】
提案代替部品は、２以上の登録部品の組み合わせであってもよい。その場合、必須条件に含まれる、判断対象の要素に関して、２以上の登録部品を組み合わせることで、被代替部品の仕様に関する情報（第２の仕様情報）を満たす場合、必須条件を満たす、と代替部品決定部１０５は判断してもよい。
【０１３８】
なお、被代替部品が組み込まれている装置の仕様等に応じて、必須条件は異なってもよい。その場合、被代替部品が組み込まれている装置の仕様等に応じて、同一の部品情報に対応する被代替部品であっても、必須条件、完全代替条件、推奨条件は異なってもよい。  例えば、被代替部品がＨＤＤであるとする。そして、被代替部品（即ち、ＨＤＤ）が組み込まれている装置のメーカーが、ＨＤＤの回転数を指定しているとする。その場合には、ＨＤＤの回転数は、必須条件の要素の一つであることが好ましい。
【０１３９】
上述の実施形態の一部又は全部は、以下の付記のようにも記載され得るが、以下には限られない。
【０１４０】
（付記１）上記第１の視点に係る情報処理装置の通りである。
【０１４１】
（付記２）前記第１の条件は、部品の仕様に関する、複数の第１の要素を含んで構成され、前記代替部品決定部は、前記第１の条件に含まれる、前記複数の第１の要素に関して、前記第１の仕様情報と、前記第２の仕様情報とが一致する場合、前記第１の条件を満たすと判断する、付記１に記載の情報処理装置。
【０１４２】
（付記３）
前記代替部品決定部は、前記第２の識別子に対応する前記第１の条件を満たし、前記第２の識別子に対応する前記第２の条件を満たす前記登録部品を、前記提案代替部品として決定する、付記１又は２に記載の情報処理装置。
【０１４３】
（付記４）
前記記憶部は、前記第２の条件を満たす代替手段と、代替リスク情報との組み合わせを、リスク有り代替手段とし、前記第１の識別子と、実装要件と、リスク有り代替手段とを対応付けて格納し、前記代替手段決定部は、前記第２の仕様情報に関して、前記第２の識別子に対応する前記第２の条件に基づいて、前記実装要件、前記リスク有り代替手段の少なくともいずれかを、提案代替手段として決定する、付記３に記載の情報処理装置。
【０１４４】
（付記５）
前記被代替情報管理部は、回避対象リスクに関する情報を取得し、代替手段決定部は、前記回避対象リスクに対応する、前記リスク有り代替手段を、前記提案代替手段から除外する、付記４に記載の情報処理装置。
【０１４５】
（付記６）前記代替部品決定部は、前記第２の識別子に対応する前記第１の条件を満たし、前記第２の識別子に対応する前記第３の条件を満たす前記登録部品を、前記提案代替部品として決定する、付記１乃至５のいずれか一に記載の情報処理装置。
【０１４６】
（付記７）前記第１の識別子は、前記登録部品の種別を識別する情報を含んで構成され、前記第１の仕様情報は、前記第１の識別子に応じたデータ構造を含む、付記１乃至６のいずれか一に記載の情報処理装置。
【０１４７】
（付記８）提案代替部品は、２以上の前記登録部品の組み合わせを含む、付記１乃至７のいずれか一に記載の情報処理装置。
【０１４８】
（付記９）上記第２の視点に係る情報処理システムの通りである。
【０１４９】
（付記１０）上記第３の視点に係る保守支援方法の通りである。
【０１５０】
（付記１１）上記第４の視点に係るプログラムの通りである。
【０１５１】
なお、上記の付記９−１１に示す形態は、付記１に示す形態と同様に、付記２乃至８に示す形態に展開することが可能である。
【０１５２】
なお、上記の特許文献の開示を、本書に引用をもって繰り込むものとする。本発明の全開示（請求の範囲を含む）の枠内において、さらにその基本的技術思想に基づいて、実施形態の変更・調整が可能である。また、本発明の全開示の枠内において種々の開示要素（各請求項の各要素、各実施形態の各要素、各図面の各要素等を含む）の多様な組み合わせ、ないし、選択（部分的削除を含む）が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。本発明で、アルゴリズム、ソフトウェア、ないしフローチャート或いは自動化されたプロセスステップが示された場合、コンピュータが用いられることは自明であり、またコンピュータにはプロセッサ及びメモリないし記憶装置が付設されることも自明である。よってその明示を欠く場合にも、本願には、これらの要素が当然記載されているものと解される。
【符号の説明】
【０１５３】
１  コンピュータ
２  ＣＰＵ
３  通信インターフェイス
４  メモリ
５  入出力インターフェイス
１０  情報処理システム
１００、１０００  情報処理装置
１０１、１００１  記憶部
１０２  通信部
１０３  入力部
１０４、１００２  被代替情報管理部
１０５、１００３  代替部品決定部
１０６、１００４  代替手段決定部
１０７、１００５  提案情報管理部
１１０  製品構成情報データベース
１１１  部品情報データベース
１１２  判定条件データベース
１１３  代替手段データベース
２００  端末
３００  ネットワーク
【図１】
2020046869.tif 000003
【図２】
2020046869.tif 000004
【図３】
2020046869.tif 000005
【図４】
2020046869.tif 000006
【図５】
2020046869.tif 000007
【図６】
2020046869.tif 000008
【図７】
2020046869.tif 000009
【図８】
2020046869.tif 000010
【図９】
2020046869.tif 000011
【図１０】
2020046869.tif 000012
【図１１】
2020046869.tif 000013
【図１２】
2020046869.tif 000014